(57)【要約】【課題】面倒な手間が掛からず家庭において頭髪全体、あるいは頭髪の所望の部位に染液を均一な量で、あるいは均一な配合割合で頭髪に付着させることができ、しかも多くの備品も必要とせず極めて安価な家庭用頭髪染めキャップを提供することを目的とするものである。【解決手段】柔軟な合成樹脂シート類により人体の頭部に被着される袋体を形成し、該袋体の下面に前記頭部を挿入するための挿入口を開設し、該挿入口の周縁に伸縮自在な締付帯を周設し、前記袋体の適所に１液と２液とをそれぞれ充填した易破裂性の合成樹脂シート類の小室を複数設けるとともに、当該小室にピンを付設して袋体上から小室を加圧してピンにより破裂させ、１液と２液とを混合した状態で頭髪を染めることができるようにしたことを特徴とする家庭用頭髪染めキャップ。【選択図】      図２
2006043433.tif 000002
【特許請求の範囲】
【請求項１】
柔軟な合成樹脂シート類により人体の頭部に被着される袋体を形成し、該袋体の下面に前記頭部を挿入するための挿入口を開設し、該挿入口の周縁に伸縮自在な締付帯を周設し、前記袋体の適所に１液と２液とをそれぞれ充填した易破裂性の合成樹脂シート類の小室を複数設けるとともに、当該小室にピンを付設して袋体上から小室を加圧してピンにより破裂させ、１液と２液とを混合した状態で頭髪を染めることができるようにしたことを特徴とする家庭用頭髪染めキャップ。
【請求項２】
柔軟な合成樹脂シート類により人体の頭部に被着される袋体を形成し、該袋体の下面に前記頭部を挿入するための挿入口を開設し、該挿入口の周縁に伸縮自在な締付帯を周設し、前記袋体の適所に１液と２液とをそれぞれ別々の隔室に充填し、かつ下部に複数の放出チューブを取り付けた筒状体を複数設けるとともに、当該筒状体上部にピンを付設した押圧体をはめ込んだ上、押圧体で筒状体を加圧してピンにより隔室を破裂させて放出チューブから放出させ、１液と２液とを混合した状態で頭髪を染めることができるようにしたことを特徴とする家庭用頭髪染めキャップ。
【発明の詳細な説明】
【技術分野】
【０００１】
この発明は、一般の家庭で頭髪を染める際に使用される家庭用頭髪染めキャップに関するものである。
【背景技術】
【０００２】
従来、一般家庭で一人で頭髪を染める場合、染液を直接頭髪に振り掛けて塗りクシか指ですくようにしている。ところで、前記染液は脱色作用が有り、このため衣服、床、家具等に染液が飛び散っても良いように、例えば衣服の上にはケープを巻き付けてガードし、床等には新聞紙を敷き詰めるようにしている。また手指は染液が直接触れないようにビニール手袋を着用するなどして保護している。
さらに、頭皮以外で頭髪の生え際や耳等に染液が付着すると、はれ，かゆみといった皮膚の異常をきたす恐れが有ることから、直ぐに水に湿した脱脂綿で拭き取るようにしている。また、染液が付着しても落とし易いようにコールドクリームを予め塗っておくようにしている。これらのことから、コールドクリーム、脱脂綿、ティッシュペーパー及びタオル等細かい備品を数多く揃えて準備していた。
一方、頭部に被着される袋体の頂部に前頭部から後頭部にかけて縦方向の切り込み口を設けたヘヤーキャップが従来知られている。
【０００３】
しかしながら、前者の場合、上半身に衣服の上からケープをまとい、更に、床等には新聞紙を敷くなど面倒な手間が多く、しかもクシ，ビニール，手袋，該手袋用の輪ゴム，コールドクリーム，脱脂綿，ティッシュペーパー，タオル等多くの備品を取り揃えねばならず、大掛りになりこれらの管理にも余分な注意を払わねばならないといった課題があった。
また、後者のヘヤーキャップを頭髪染めに際して流用するとき、鏡を見ながら自分でヘヤーキャップ内に染液を注入することになるが、後頭部が見えにくいために切り込み口の後端から染液をしばしばヘヤーキャップの外へ飛び散らかしたり、零したりして衣服に付着させたり床等に染液をこぼすことが考えられ極めて使いにくいという欠点があった。
【０００４】
そこで、登録実用新案第３０４７０６４号公報（特許文献１参照）のように、柔軟な合成樹脂シートにより人体の頭部に被着される袋体を形成し、該袋体の下面に前記頭部を挿入するための挿入口を開設し、該挿入口の周縁に伸縮自在な締付帯を周設し、前記袋体の前頭部位置には手指が容易に出し入れできる開閉自在な切り込み口を横一文字状に設けて構成した家庭用頭髪染めキャップが周知である。
そして、前記切り込み口にはファスナーを取着し、該ファスナーを解放した切り込み口から手に持った染液の容器を差し入れて袋体内に染液を注入し、次いでファスナー等を閉じて切り込み口を密閉した状態で袋体の外から頭髪を揉んで染液を頭髪に付着させるようになっている。この際、挿入口の周縁に頭部の周囲に密着する締付帯が周設され、頭部を締め付けているので、挿入口の縁から染液が外に洩れ出るようなことがない。
【特許文献１】登録実用新案第３０４７０６４号公報
【発明の開示】
【発明が解決しようとする課題】
【０００５】
しかしながら、２つの液を混合して使用する染液においては上述のような方法では頭髪全体、あるいは頭髪の所望の部位に染液を均一な量で、あるいは均一な配合割合で付着させることは困難であり、望ましい染め具合を得ることは非常に難しかった。特に家庭において部分的に染液を均一な量で、あるいは均一な配合割合で頭髪に付着させることは極めて困難であるとされていた。
そこで、この発明はかかる課題を解決すべくなされたもので、面倒な手間が掛からず家庭において頭髪全体、あるいは頭髪の所望の部位に染液を均一な量で、あるいは均一な配合割合で頭髪に付着させることができ、しかも多くの備品も必要とせず極めて安価な家庭用頭髪染めキャップを提供することを目的とするものである。
【課題を解決するための手段】
【０００６】
すなわち、この発明に係る家庭用頭髪染めキャップは、柔軟な合成樹脂シート類により人体の頭部に被着される袋体を形成し、該袋体の下面に前記頭部を挿入するための挿入口を開設し、該挿入口の周縁に伸縮自在な締付帯を周設し、前記袋体の適所に１液と２液とをそれぞれ充填した易破裂性の合成樹脂シート類の小室を複数設けるとともに、当該小室にピンを付設して袋体上から小室を加圧してピンにより破裂させ、１液と２液とを混合した状態で頭髪を染めることができるようにしたことを特徴とするものである。
【０００７】
またこの発明に係る家庭用頭髪染めキャップは、柔軟な合成樹脂シート類により人体の頭部に被着される袋体を形成し、該袋体の下面に前記頭部を挿入するための挿入口を開設し、該挿入口の周縁に伸縮自在な締付帯を周設し、前記袋体の適所に１液と２液とをそれぞれ別々の隔室に充填し、かつ下部に複数の放出チューブを取り付けた筒状体を複数設けるとともに、当該筒状体上部にピンを付設した押圧体をはめ込んだ上、押圧体で筒状体を加圧してピンにより隔室を破裂させて放出チューブから放出させ、１液と２液とを混合した状態で頭髪を染めることができるようにしたことをも特徴とするものである。
【発明の効果】
【０００８】
以上述べたように、この発明の家庭用頭髪染めキャップは、柔軟な合成樹脂シートからなる袋体を人体の頭部に被着し、袋体の適所に１液と２液とをそれぞれ充填した易破裂性の合成樹脂シート類の小室を複数設けるとともに、当該小室にピンを付設して袋体上から小室を加圧してピンにより破裂させるか、もしくは袋体の適所に１液と２液とをそれぞれ別々の隔室に充填し、かつ下部に複数の放出チューブを取り付けた筒状体を複数設けるとともに、当該筒状体上部にピンを付設した押圧体をはめ込んだ上、押圧体で筒状体を加圧してピンにより隔室を破裂させて放出チューブから放出させ、１液と２液とを混合した状態で頭髪を染めることができるようにしたものである。
したがって、家庭において頭髪全体、あるいは頭髪の所望の部位に染液を均一な量で、あるいは均一な配合割合で頭髪に付着させることができ、しかも多くの備品も必要とせず極めて安価な家庭用頭髪染めキャップを提供することが可能となった。
【０００９】
また、頭髪の長さが違っても、この発明の請求項１あるいは請求項２のいずれかの発明を選択して、適宜その長さに応じて頭髪を染めることが可能であり、染液の配合量や配合割合等の難しい調整が不要となって、誰にでも簡単に頭髪を所望のカラーに染めることができるようになった。
【発明を実施するための最良の形態】
【００１０】
以下、この発明に係る家庭用頭髪染めキャップの実施の形態を図面に基いて詳細に説明する。
図１はこの発明の家庭用頭髪染めキャップの１実施例を示す平面図、図２はその要部を示す拡大断面図、図３は頭部を挿入するための挿入口部分を示す底面図、図４は袋体の適所に設けた筒状体の例を示す斜視図、図５はその概略断面図、図６はこの発明の家庭用頭髪染めキャップの他の実施例を示す平面図である。
【００１１】
図１および図３において、１は人体の頭部に余裕を持たせて被着されるキャップ状の袋体であり、該袋体１はポリ塩化ビニールやエチレンー酢ビコポリマー、ポリエチレン等の合成樹脂シート類により形成され柔軟性を有する。
そして、その下面に頭部を挿入するための挿入口２が開設されるとともに該挿入口の周縁に伸縮自在な締付帯３が周設されている。前記締付帯３は図３に示すように所要の幅を有する偏平なベルト素材からなり、一方の端部を延長した上、面ファスナ５を備えた自由端４として開放し、他方の対向する面ファスナ６を備えた端部に当接して面ファスナ５，６部分で接合されるようにしている。
上記ベルト素材として、防水シート製の基材に厚めの綿や高吸水性樹脂材料等の素材を積層した構成が望ましい。こうすると、綿や高吸水性樹脂材料等の素材が染液を吸収して内側まで液垂れすることがない。また、締付帯３近傍の袋体１には切込みやギャザー等が形成されていて伸縮可能であり、被用者の頭部の大きさに合わせて締め付けることができるようになっている。
【００１２】
しかして、袋体１の周辺部位には図１に示すように１液と２液とをランダムに、あるいは綿の方向に対して交互にそれぞれ充填した、多数の小室７が適宜間隔で設けられている。この小室７は、前記袋体１の適所に易破裂性の合成樹脂シート類を膨らませて接着することにより形成されている。また当該小室７の位置する袋体１の合成樹脂シート類には適宜複数のピン８を例えば放射状に植設しておき、袋体１上から小室７を加圧すればピン８が小室７の易破裂性の合成樹脂シート類を破裂させるようにしてある。したがって、袋体１上から小室７をなでるようにこすって加圧すれば、ピン８が小室７の易破裂性の合成樹脂シート類を破裂させ、染液の１液と２液とを混合した状態で頭髪にしみこませることができ、簡単かつ迅速に頭髪を染めることができる。
なお、ピン８は小室７の易破裂性の合成樹脂シート類を破裂させることのできる剛性を有するとともに、頭皮に触れても頭皮を傷付けることのない柔軟性を兼ね備えた材質であることが望ましい。
図中９は耳覆いで、染液が耳に触れないようにするためのものである。
【００１３】
図４および図５は、図１の家庭用頭髪染めキャップの袋体１の中央部位の適所に設けた筒状体１１を示すものである。すなわちこの筒状体１１は、１液と２液とをそれぞれ別々の隔室１２，１３に充填し、かつ下部に長さを異にする複数の放出チューブ１４を取り付けることによって形成されている。
【００１４】
また、１５は当該筒状体１１の上部に位置する蛇腹状の押圧体で、その下部にはピン１６が付設されている。そしてこの押圧体１５を筒状体１１の上部にはめ込んだ上、図５（ａ）のように押圧体１５を上から加圧すると、蛇腹状の押圧体１５が圧縮されてピン１６が下降し、図５（ｂ）のように筒状体１１の上部を加圧してピン１６が隔室１２，１３を破裂させるので、その下部で１液と２液は混合された上（図の混合状態参照）、異なる長さの放出チューブ１４から放出される。したがって、１液と２液とを混合した状態で、手を染液で汚すことなく頭髪をその長さに応じてまんべんなく染めることができるのである。
【００１５】
なお筒状体１１の配置やサイズは被用者の頭部のサイズや頭髪の長さ、染液の濃さ等を勘案して適宜決定することができる。図１では中央の筒状体１１−１を大きく、その周囲に４つ設けた筒状体１１−２をやや小さくして配置しているが、その配置やサイズは自由に決めることができる。
この筒状体１１の使用に際しては、頭髪の長い被用者は輪ゴム等でポニーテールまたはしばれる箇所でしばった上で適用することが望ましい。例えば、上記放出チューブ１４を頭髪に差し込んだ上でしばることができる。このように放出チューブ１４が頭髪をもぐって奥まで挿入され、かつバラバラに頭髪に差し込まれることが望ましい。
【００１６】
図６はこの発明の家庭用頭髪染めキャップの他の実施例を示すものであり、１は人体の頭部に余裕を持たせて被着されるキャップ状の袋体である。この例では、袋体１には図１の実施例と同様、１液と２液とをそれぞれ充填した多数の小室７が適宜間隔で設けられ、この小室７は、前記袋体１の適所に易破裂性の合成樹脂シート類を膨らませて接着することにより形成されている。また当該小室７の位置する袋体１の合成樹脂シート類には適宜複数のピン（図示せず）を植設しておき、袋体１上から小室７をなでるようにこすって加圧すれば、ピンが小室７の易破裂性の合成樹脂シート類を破裂させ、自動的に１液と２液とが混合されて頭髪が染められるようにしてある。
【００１７】
なおこの実施例では、１液と２液とをそれぞれ充填した多数の小室７を袋体１の周辺部位のみならず、その中央部分にも適宜間隔で配置している。そして、小室７のピン（図示せず）を備えた構成等は図１の実施例と同様に構成してある。
したがって、袋体１上から小室７をなでるようにこすって加圧すれば、ピンが小室７の易破裂性の合成樹脂シート類を破裂させ、染液の１液と２液とを混合した状態で頭髪にしみこませることができ、簡単かつ迅速に頭髪を染めることができる。
【００１８】
このようにこの発明の家庭用頭髪染めキャップは、図１の実施例のように、柔軟な合成樹脂シートからなる袋体１を人体の頭部に被着し、袋体１の適所に１液と２液とをそれぞれ充填した易破裂性の合成樹脂シート類の小室７を複数設けるとともに、当該小室７にピン８を付設して袋体１上から小室７を加圧してピン８により破裂させるか、もしくは、図６の実施例のように、袋体１の適所に１液と２液とをそれぞれ別々の隔室１２，１３に充填し、かつ下部に複数の放出チューブ１４を取り付けた筒状体１１を複数設けるとともに、当該筒状体１１上部にピン１６を付設した押圧体１５をはめ込んだ上、押圧体１５で筒状体１１を加圧してピン１６により隔室１２，１３を破裂させて放出チューブ１４から放出させ、１液と２液とを混合した状態で頭髪を染めることができるようにしたものである。
したがって、家庭において頭髪全体、あるいは頭髪の所望の部位に染液を均一な量で、あるいは均一な配合割合で頭髪に付着させることができ、しかも多くの備品も必要とせず極めて安価な家庭用頭髪染めキャップを提供することが可能となった。
【００１９】
また、頭髪の長さが違っても、この発明の第１実施例あるいは第２実施例のいずれかの発明を選択して、適宜その長さに応じて頭髪を染めることが可能であり、染液の配合量や配合割合等の難しい調整が不要となって、誰にでも簡単に頭髪を所望のカラーに染めることができるようになった。
ちなみに第１実施例のものは、頭髪がしばることができる長さもしくは約５cm以上の長い頭髪用として、第２実施例のものは約５cm以下の短い頭髪用として好適に利用することができる。
【００２０】
図７は、本発明に係る家庭用頭髪染めキャップの更に別の実施例を示す断面図である。図示された家庭用頭髪染めキャップは、人体の頭部に余裕を持たせて被着されるキャップ状の袋体１であり、外面に放射状に適宜間隔に複数設置された針２０とおよび差込口２１を有する。上記針２０は、上記家庭用頭髪染めキャップの外面に適宜間隔に複数設置されており、筒状体１１の先端部に設けられた閉鎖シール２２に刺通する。前記筒状体１１は、内部にカラー剤を充填し、先端部がストロー状に細くなり、閉鎖シール２２を有する。この筒状体１１の先端ストロー部の閉鎖シール２２に任意の箇所の針２０を刺通することで、頭部の任意の箇所に筒状体１１内のカラー剤を染み込ませることができ、頭髪の任意の箇所を染めることができる。なお、上記針２０は、主にプラスチック製であるが、金属製や、その他の素材であっても良い。
【００２１】
図８は、図７に示す筒状体を用いた際の応用例を示す断面図である。頭髪にパーマをあてる際には、任意の箇所の頭髪をロッド３０に巻き付けロッドはさみ３１で固定する。この時、本応用例では、筒状体１１にパーマ液を充填し、ロッドはさみ３１の外側の２箇所に針２０および差込口２１を設け、筒状体１１の先端ストロー部の閉鎖シール２２に針２０を刺通することで、筒状体１１に充填されたパーマ液を任意の箇所の頭髪に染み込ませる。このようにすることで、頭髪にあらかじめパーマ液を染み込ませる必要がなくなり、パーマ作業時間の短縮につながる。
【００２２】
図９は、図８に示すロッドの応用例を示す立体図である。図示されたロッド３２は、筒状をなし、中央に細径部３３を設けてある。前記細径部３３の表面は、面ファスナー構造であり、頭髪を保持できるようになっている。ここで、ロッド３２の細径部３３に頭髪の一部の毛束３４を巻きつけ、ロッドはさみ３２によりロッド３１を挟み、差込口２１から筒状体に充填された液剤を毛束３４に染み込ませる。このような構造にすることで、例えば液剤にカラー剤を使用すれば、メッシュやブリーチ等、部分的に染めることができる。
【００２３】
図１０は、図９に示すロッドの別の応用例の立体図である。図示されたロッド３５は、筒状をなし、側面にらせん状の頭髪保持面３６を設けてある。前記らせん状の頭髪保持面３６は、図９に示したロッド３２の細径部３３同様、面ファスナー構造であり、頭髪を保持できるようになっている。ここで、ロッド３５のらせん状の頭髪保持面３６に毛束３７を巻きつけ保持し、ロッドはさみ３２によりロッド３５を挟み、差込口２１から筒状体に充填された液剤を毛束３７に染み込ませる。このような構造にすることで、例えば液剤にパーマ剤を使用すれば、ツイストパーマ等、任意の形状のパーマに仕上げることができる。
【００２４】
図１１は、図４、図５に示す筒状体の別の実施例を示す断面図である。図示した筒状体４０は、Ａ液、Ｂ液をそれぞれ別々の中央部隔室４１，４２に充填する。また上部に蛇腹状の押圧体１５を有し、前記押圧体１５は下部にピン１６を付設している。なお、前記押圧体１５を上から加圧すると、蛇腹状の押圧体１５が圧縮され、ピン１６が下降し筒状体４０の中央部隔室４１，４２を破裂させるので、各液はその下部で混合された上で下端より放出される。隔室４１，４２は各種液剤を充填してあり、使用用途にそって液剤入りの隔室を選択し詰め替えることができる詰め替え式隔室（例えば小袋）である。
【００２５】
ここで、上記筒状体４０の下部には、複数の放出チューブがついたノズルタイプ４４、あるいはストロー単独タイプ４５、あるいはブラシタイプ４６、あるいは綿棒タイプ４７を取り付けることが可能である。このような構造にすることで、筒状体４０内の液剤の放出形態を頭髪の髪質や長さ等に応じて選択することができる。
【００２６】
図１２（a），（b），（c），（d）は、本発明に係る筒状体の各種応用例を示す断面図である。
（a）  下部にピン１６を付設してなる蛇腹状の押圧体１５を上部に備え、中央部に単独のカラー剤を充填し、下部にはストロー単独タイプ４５の放出口を備えてなる筒状体５０と、前記筒状体５０の先端の閉鎖シール２１に刺通する針２０を備えた差込口５１を端部に設け、他端部には適宜間隔に複数設置された放出孔５２を備えてなるパーツ５３を示す。
（b）  （a）と同様の筒状体５０と、前記筒状体５０先端の閉鎖シール２１に刺通する針２０を備えた差込口５１を端部に設け、他端部には、ハケ状ブラシ５４を備え、筒状体５０から流入された液剤を先端より放出することが可能な多数の放出孔５２をハケ状ブラシ５４の根元に備えてなるパーツ５５を示す。
（c）  下部にピン１６を付設してなる蛇腹状の押圧体１５を上部に備え、中央部にカラー剤と二液とをそれぞれ別々の隔室５６，５７に充填し、下部には各隔室に通ずるストロー単独タイプ４５の放出口を備えてなる筒状体５８と、上記筒状体５８の先端の閉鎖シール２１に刺通する針２０を備えた差込口５１を端部に設け、他端部には、筒状体５８から流入された液剤を先端より放出することが可能なクシ形状５９を備えてなるパーツ６０を示す。
（d）  （a）と同様の筒状体５０を２つ並列に並べ、両筒状体５０の放出口の経路を途中で隣接させ差込口５１に挿入可能とした筒状体６１と、上記筒状体６１の先端の閉鎖シール２１に刺通する針２０を備えた差込口５１を端部に設け、他端部には、筒状体６１から流入された液剤を放出することが可能なスポンジ６２を備えてなるパーツ６３を示す。
【００２７】
図１１および図１２に示したように、本発明に係る筒状体は、液剤入り隔室を使用用途によって詰め替えることが出来、さらに、液剤を頭髪に染み込ませる際に頭髪の髪質、長さ等に応じて選択した任意のパーツに接続することが可能なカートリッジ式である。このように、状況に応じて選択した液剤およびパーツのいずれにも対応できる筒状体によって、髪染め作業の効率向上と時間短縮が可能となる。もちろん、筒状体およびパーツの組み合わせは、上記（a），（b），（c），（d）に限らず、任意に選択し組み合わせて使用することができる。
【００２８】
図１３は、図１２に示すパーツの別の応用例を示す断面図である。図示したパーツ６４は、端部にクシ形状６５と、パーツ６４の側面中央部に取っ手６６を設けている。また、筒状体６７の先端の閉鎖シール２１を針２０で刺通し、筒状体６７に充填さした液剤をパーツ６４に流入する。このような構造にすることで、筒状体６７から流入されクシ形状６５の先端部から放出される液剤を、頭髪をとかしながら髪に染み込ませる際、取っ手６６を持つことで、より容易に液剤を頭髪に染み込ませることができる。
【産業上の利用可能性】
【００２９】
以上のように構成された、この発明の家庭用頭髪染めキャップは、ヘアダイやヘアマニキュア、ヘナ、その他のいわゆるカラーリングと称する種々の染液の使用に対応することができる。
【図面の簡単な説明】
【００３０】
【図１】この発明の家庭用頭髪染めキャップの１実施例を示す平面図である。
【図２】その要部を示す拡大断面図である。
【図３】頭部を挿入するための挿入口部分を示す底面図である。
【図４】袋体の適所に設けた筒状体の例を示す斜視図である。
【図５】その概略断面図である。
【図６】この発明の家庭用頭髪染めキャップの他の実施例を示す平面図である。
【図７】本発明に係る家庭用頭髪染めキャップの更に別の実施例を示す断面図である。
【図８】図７に示す筒状体を用いた際の応用例を示す断面図である。
【図９】図８に示すロッドの応用例を示す立体図である。
【図１０】図９に示すロッドの別の応用例の立体図である。
【図１１】図４、図５に示す筒状体の別の実施例を示す断面図である。
【図１２】（a），（b），（c），（d）は、本発明に係る筒状体の各種応用例を示す断面図である。
【図１３】本発明に係る筒状体の更に別の応用例を示す断面図である。
【符号の説明】
【００３１】
１ 袋体
２ 挿入口
３ 締付帯
４ 自由端
５，６ 面ファスナ
７ 小室
８ ピン
９ 耳覆い
１１ 筒状体
１１−１，１１−２  筒状体
１２，１３ 隔室
１４ 放出チューブ
１５ 押圧体
１６ ピン
２０ 針
２１ 差込口
２２ 閉鎖シール
３０ ロッド
３１ ロッドはさみ
３２ ロッド
３３ 細径部
３４ 毛束
３５ ロッド
３６ 頭髪保持面
３７ 毛束
４０ 筒状体
４１，４２ 隔室
４４ ノズルタイプ
４５ ストロー単独タイプ
４６ ブラシタイプ
４７ 綿棒タイプ
５０ 筒状体
５１ 差込口
５２ 放出孔
５３ パーツ
５４ ハケ状ブラシ
５５ パーツ
５６，５７ 隔室
５８ 筒状体
５９ クシ形状
６０ パーツ
６１ 筒状体
６２ スポンジ
６３ パーツ
６４ パーツ
６５ クシ形状
６６ 取っ手
６７ 筒状体
【図１】
2006043433.tif 000003
【図２】
2006043433.tif 000004
【図３】
2006043433.tif 000005
【図４】
2006043433.tif 000006
【図５】
2006043433.tif 000007
【図６】
2006043433.tif 000008
【図７】
2006043433.tif 000009
【図８】
2006043433.tif 000010
【図９】
2006043433.tif 000011
【図１０】
2006043433.tif 000012
【図１１】
2006043433.tif 000013
【図１２】
2006043433.tif 000014
【図１３】
2006043433.tif 000015